(57)【要約】【課題】  分割型のコアビットの連結チューブの肉厚を薄くしかつカップリングを軽量にし、またカップリングと連結チューブの連結を迅速、容易に連結できる構造とし、さらに、径の異なる連結チューブを連結可能な汎用的なカップリングを有するコアビットを提供する。【解決手段】  コアドリル用の分割タイプのコアビット１において、カップリング２の素材をアルミニウム合金とし、カップリング１の形状を円柱台３とし、円柱台３のカップリング台面５に筒型の連結チューブ９の端部を嵌合する環状溝６を形成し、カップリング２の側壁から、環状溝６とこの環状溝６に嵌合した連結チューブ９の嵌合部分に、連結ピン１６を挿通するピン孔８、１１を開口して連結ピン１６を挿通することによりカップリング２と連結チューブ９を連結可能としたコアドリル用のコアビット１である。【選択図】      図１
2005199405.tif 000002
【特許請求の範囲】
【請求項１】
コアドリル用のカップリングと連結チューブとビット部からなる分割タイプのコアビットにおいて、カップリングの素材をアルミニウム合金とし、該カップリングの形状を円柱台とし、該円柱台のカップリング台面に連結チューブの筒型端部を嵌合する複数個の環状溝を形成し、該カップリングの側壁から環状溝と環状溝に嵌合した連結チューブの嵌合部とを係止する連結ピンを挿通するためのピン孔を開口し、該ピン孔に連結ピンを挿通することによりカップリングと連結チューブを連結可能としたことを特徴とするコアドリル用のコアビット。
【請求項２】
カップリングの素材のアルミニウム合金は、ジュラルミン７０７５であることを特徴とする請求項１記載のコアドリル用のコアビット。
【請求項３】
複数個の環状溝は円柱台のカップリング台面に形成した同心円状の異なる径の複数個の環状溝であることを特徴とする請求項１または２に記載のコアドリル用のコアビット。
【発明の詳細な説明】
【技術分野】
【０００１】
本発明は、コンクリート構造物、アスファルト、レンガ、タイル、石材、岩石等（以下、これらを総称して「コンクリート構造物」という。）に孔を穿孔するため、特にコンクリート構造物からなる壁や床などに孔を穿孔するためのコアドリル用のコアビットに関する。
【背景技術】
【０００２】
従来のコンクリート構造物３１に孔を穿孔するコアドリル２０は、例えば、図４に示すように、ベース２１と、ベース２１より直立し、一側にラック２２を直立方向に配設した支柱２３と、支柱２３に昇降可能に装着され、内部にラック２２と噛み合うピニオンを備えたドリルヘッド２４と、ドリルヘッド２４の出力軸２５に着脱可能に、例えば図５に示す、シャンク３４で取着されるコアビット２６と、ドリルヘッド２４上に設けられ、コアビット２６を回転駆動させる減速機付きのモータ２７と、上記ピニオンの軸と一体をなす軸部２９にスライド可能に嵌挿され、ピニオンを回動操作するためのハンドル２８とよりなっている。コンクリート構造物３１への孔の穿孔時には、通常、ベース２１をコンクリート構造物３１にアンカーボルト３０により固定し、さらにドリルヘッド２４を止めねじ３２で支柱２３に固定した後、ハンドル２８を操作してコアビット２６をモータ２７により回転させて穿孔を行う（特許文献１参照。）。
【０００３】
上記のコアドリル２０で使用する従来のコアビット２６は、コアドリル２０との連結部であるカップリングと連結チューブと先端のビット部が一体に形成されたワンボディタイプとそれらがねじ螺合により接続可能となった分割タイプがある。このうち分割タイプからなるコアビット２６は、例えば、図４に示すように、コアビット２６をドリルヘッド２４の出力軸２５に止着する連結部であるシャンク３４を有するカップリング３３と連結チューブ３５とダイヤモンドチップ３７を先端に固着したビット部３６に三分割して、それぞれの連結部分の筒端部に、例えば、図５に示すように、それぞれ対になる雄ねじ３８と雌ねじ３９を有し、それらをねじ螺合により取り替え可能に連結したものである。一方、図６に示すように、ワンボディタイプのものとしては、カップリングと連結チューブからなるボディ４０とその先端のビット部３６を一体化し、ビット部３６の先端部に多数のダイヤモンドチップ３７を設けたものである。これらはいずれも発明者らが開発している。ところで、上記のワンボディタイプのものは、チップが損耗したりして交換するときには全体を交換する必要があり、コストのかかる問題があった。
【０００４】
【特許文献１】特開平８−２２４７２６号公報
【発明の開示】
【発明が解決しようとする課題】
【０００５】
ところで、上記のように、従来の三分割型のコアビットのカップリングと連結チューブとビット部は筒状部材からなり、それぞれの筒状部材をねじ切り加工してねじ螺合するものである。この分割タイプのコアビットは連結部の筒状部材の一方の部材の外周には雄ねじを切り、他方の部材の内周には雌ねじを切るねじ加工をそれぞれするので、ねじ切り加工に手間がかかり、さらに使用に当たってねじ螺合が迅速にできない問題があった。
【０００６】
さらに、上記のようにねじ切りをする必要があるために筒状部材が肉厚となる。ところで、コアビットでは切削速度を向上させるためにビット部の先端の部分の肉厚を薄くする傾向にあり、これに伴いボディも薄肉とする傾向にあるが、肉厚が薄くなると雄ねじや雌ねじのねじ加工が困難となり、加工寸法精度を出すことが困難となる問題があった。
【０００７】
さらに、従来は、このような同径の筒状部材にねじ加工をするため、カップリングと連結チューブとビット部のそれぞれの筒状部材の筒径は一致させる必要があるため、例えばカップリングのみを種々の径の連結チューブを連結することの可能な汎用のものとすることができない問題があった。またさらに、これらの部材の材料は鋼材であるので重量が重く、特に、コアドリルとの連結部であるカップリングは肉厚部があるので重さが掛かり、このため使用時に取り扱いにくい問題があった。
【０００８】
そこで、解決しようとする本発明の課題は、分割型のコアビットの上記の問題を解決することであり、分割型のコアビットにおいて、コアビットのボディの肉厚を従来より薄くする一方、そのカップリングの重量を軽量化する構造にするとともに、カップリングと連結チューブの連結をねじ螺合による連結に比して迅速かつ容易に連結可能な構造からなるコアビットを提供することであり、さらに、径の同一であるカップリング、連結チューブおよびビット部からなるコアビットの他に、径の異なる連結チューブを汎用的に連結可能とするカップリングを有するコアビットを提供することである。
【課題を解決するための手段】
【０００９】
上記の課題を解決するための本発明の手段は、請求項１の発明では、コアドリル用のカップリングと連結チューブとビット部からなる分割タイプのコアビットにおいて、カップリングの素材をアルミニウム合金とし、該カップリングの形状を円柱台とし、該円柱台のカップリング台面に連結チューブの筒型端部を嵌合する環状溝を形成し、該カップリングの側壁から環状溝と環状溝に嵌合した連結チューブの嵌合部とを係止する連結ピンを挿通するためのピン孔を開口し、該ピン孔に連結ピンを挿通することによりカップリングと連結チューブを連結可能としたことを特徴とするコアドリル用のコアビットである。
【００１０】
請求項２の発明では、カップリングの素材のアルミニウム合金は、ジュラルミン７０７５であることを特徴とする請求項１の手段のコアドリル用のコアビットである。
【００１１】
請求項３の発明では、複数個の環状溝は円柱台のカップリング台面に形成した同心円状の異なる径の複数個の環状溝であることを特徴とする請求項１または２の手段のコアドリル用のコアビットである。
【発明の効果】
【００１２】
本発明は、コアドリル用の分割タイプのコアビットにおいて、従来のコアビットでは、後方にシャンクを有し前端部の内径面に雌ねじを切った鋼製カップ体からなるカップリングと、このカップリングと連結する後端部外形面に雄ねじを切り先端部内径に雌ねじを切った筒型の連結チューブと、この連結チューブの先端にねじ螺合して接続するビット部からなるねじ螺合による連結構造としたものであったが、このカップリングを鋼製カップ体に代えてアルミニウム合金製、特にジュラルミン製の円柱台からなるものとし、このアルミニウム合金製の円柱台を鋼製筒型の連結チューブと連結するもので、その連結構造を円柱台のカップリング台面に環状溝を形成し、この環状溝に鋼製筒型の連結チューブの端部を嵌挿してさらに両者の連結部分に横方向からピン孔を開口し、この開口に連結ピンを挿入することで両者を連結可能としたことにより、従来の鋼製カップ体のカップリングと筒型連結チューブのねじ螺合によるものに比して、連結が短時間でかつ容易に行うことができる。さらにカップリング台面に同心円状に径の異なる環状溝を複数個形成することで、従来の筒型のカップリングでは連結できなかった種々の径の異なる筒型連結チューブでもそれらを取り替えることで接続可能とすることができる。しかも、連結チューブの筒端部にねじを切る必要がないので、連結チューブの筒の肉厚を薄くできるので軽量化でき、さらにカップリングの素材をアルミニウム合金としたので鋼製のカップリングに比して約１／３に軽量化でき、従ってコアドリルとの連結側に重量が掛かることなく、先端側のビット部に重さが掛かることとなるのでコアビットを使用する際の支持が安定化できる。このように、従来の分割タイプのコアビットに比して本発明の分割タイプのコアビットは優れた効果を奏するものである。
【発明を実施するための最良の形態】
【００１３】
本発明を実施するための最良の形態を図面を参照して説明する。図１は本発明における分割タイプのコアビット１を示す図で、分割タイプのコアビット１は、円柱台３からなるカップリング２と筒型の連結チューブ９と先端にダイヤモンドチップ１４を有する筒型のビット部１２の３分割体からなる。円柱台３からなるカップリング２はドリルヘッド２４に接続されるシャンク４を有している。円柱台３およびシャンク４の中心には水冷孔７が軸方向に開口している。カップリング台面５にのカップリング台面５には水冷孔７と同心円状に環状溝６が形成されている。環状溝６は、例えば図２に示すように、中心から径が２インチ、２．５インチ、３インチ、３．５インチ、４インチである複数個の環状溝６ａ、６ｂ、６ｃ、６ｄ、６ｅが同心円状に形成されている。これらの環状溝６にはそれと同径の筒型の連結チューブ９がそれぞれ嵌挿されて連結される。
【００１４】
上記のように複数の環状溝６すなわち６ａ、６ｂ、６ｃ、６ｄ、６ｅが同心円状に形成されているので、１個のカップリング２に径の大きさの異なる複数の筒型の連結チューブ９が接続可能な汎用タイプである。例えば、汎用タイプ中の大径である径４インチの筒型の連結チューブ９を接続可能とする場合には、筒型の連結チューブ９の円柱台３のカップリング台面５の径は連結チューブ９の最大径よりやや大きい例えば径４．５インチに形成する。
【００１５】
しかし、上記のように５種類の径の異なる連結チューブ９を交換して汎用タイプとするものとは限らず、例えば、使用頻度の高い径３インチと径２インチの２種の連結チューブ９のみを接続可能とする２重の環状溝６ａ、６ｂのみをカップリング台面５に同心円状に有するカップリング２とすることもできる。このようにすることでカップリング２の径を小さくすることができ、一層に軽量化でき使用時の負担が軽くなる。
【００１６】
円柱台３には、上記のように同心円状に環状溝６を形成し、かつ、筒型の連結チューブ９が確実に嵌挿して連結可能とするために、環状溝６の深さは例えば、３０ｍｍとしている。
【００１７】
カップリング２の円柱台３の側部には、その一方からそれと中心対称な他方の側部まで、例えば径８ｍｍの連結ピン１６を挿通するピン孔８が、カップリング台面５に平行に環状溝６を貫通して穿孔されている。一方、この環状溝６に嵌挿される筒型の連結チューブ９の嵌挿部分には例えば径８ｍｍの連結ピン１６を挿通するためのピン孔１１が穿孔されている。円柱台３の一方の側部から環状溝６を貫通したピン孔８の他の側部の終端部には、例えば、ねじ螺合用の雌ねじ８ａが切られている。一方、連結ピン１６の先端にも雄ねじ１６ａが切られている。この結果、連結ピン１６は円柱台３の他の側部でねじ螺合され、使用中に抜けて円柱台３の側部から突出することがない。さらに、連結ピン１６を円柱台３に挿通した際に、ピン頭部が円柱台３の側部から突出して回転使用中に周囲に引かからないようにするため、ピン頭部は丸みを設けたものとするか、あるいはピン頭部が円柱台中に埋め込むタイプのピン長さのものとする。
【００１８】
他の実施の形態では、連結ピン１６は、上記のように先端部がねじ螺合で係止するのでなく、図３に見られるように、連結ピン１６を挿通するピン孔８は例えば径８ｍｍの貫通孔とし、かつ、連結ピン１６を単なる貫通棒としてピン孔８に挿入して円柱台３と環状溝６に嵌挿された連結チューブ９の嵌挿部分を係止し、一方、カップリング２の外周にピン孔８の部分を通るカップリング台面５に平行な環状溝４１を周回して設け、この環状溝４１にゴムリング４２を嵌め込み、貫通した連結ピン１６の両端をゴムリング４２で押さえることで、使用中にカップリング２から連結ピン１６が抜けないようにする。
【００１９】
本発明における円柱台３からなるカップリング２は、軽量化を図るためにアルミニウム合金から形成されている。このＡｌ合金としては、例えば超々ジュラルミンであるジュラルミン７０７５である５．５％Ｚｎ−２．５％Ｍｇ−１．６％Ｃｕで残部Ａｌからなる合金が使用される。それらは従来の素材である鋼に比して約１／３の重さの軽量でありながら、その引張り強度は５８８ＭＰａ（６０ｋｇｆ／ｍｍ2）で、コンクリート壁材を穿孔するために要する強度並びに剛性に耐え得るものである。さらに焼入れをすることで靱性をより向上させることができる。
【００２０】
以上のようにしたことで、本発明の筒型の連結チューブ９には、円柱台３との連結端部に従来の連結チューブのように雄ねじを形成していないので、雄ねじを形成しない分だけ筒体の肉厚を減少することができ、軽量化されている。
【００２１】
ところで、本発明のコアビット１における筒型の連結チューブ９の先端に連結するビット部１２は、従来のものをそのまま適用するものである。従って、ビット部１２の先端には、ダイヤモンドチップ１４を設けたのこ刃状部１３を有し、ビット部１２の後端には筒型の連結チューブ９の先端の雌ねじ１０に螺合するための雄ねじ１５を有する。
【図面の簡単な説明】
【００２２】
【図１】一部破断して示すカップリングと、筒型の連結チューブと、ビット部からなる本発明のコアビットの分割して示す側面図と、連結ピンを示す図である。
【図２】本発明におけるカップリングをカップリング台面から見た図である。
【図３】本発明における他の形態のカップリングを一部破断して示す側面図である。
【図４】コアビットを装着したコアドリルを示す説明図である。
【図５】従来の３分割タイプのコアビットの側面図である。
【図６】従来の一体型のコアビットの側面図である。
【符号の説明】
【００２３】
１  コアビット
２  カップリング
３  円柱台
４  シャンク
５  カップリング台面
６  環状溝
７  水冷孔
８  ピン孔
９  連結チューブ
１０  雌ねじ
１１  ピン孔
１２  ビット部
１３  のこ刃状部
１４  ダイヤモンドチップ
１５  雄ねじ
１６  連結ピン
２０  コアドリル
２１  ベース
２２  ラック
２３  支柱
２４  ドリルヘッド
２５  出力軸
２６  コアビット
２７  モータ
２８  ハンドル
２９  軸部
３０  アンカーボルト
３１  コンクリート構造物
３２  止めねじ
３３  カップリング
３４  シャンク
３５  連結チューブ
３６  ビット部
３７  ダイヤモンドチップ
３８  雄ねじ
３９  雌ねじ
４０  ボディ
４１  環状溝
４２  ゴムリング
【図１】
2005199405.tif 000003
【図２】
2005199405.tif 000004
【図３】
2005199405.tif 000005
【図４】
2005199405.tif 000006
【図５】
2005199405.tif 000007
【図６】
2005199405.tif 000008